(57)【要約】      （修正有）【課題】箱詰め梱包や送付物の小包などの荷造り、製品の保存などの保護材に使用するパッキンを提供する。【解決手段】自然環境保護や資源枯渇の観点から、使い捨てを止めパッケージを再利用すれば５０％の自然環境保護になることの活動を展開する。再使用他用化ができるパッケージ・パッキンを製作する。他種類の商品に使用ができ、多回数使用できるから、使用後の回収をパッキン付きパッケージの蓋に、返送先宛名カード差し込みポケットを付け、回収を徹底することによりコストを低減出来る。【選択図】図１
0003123013.tif 000002
【実用新案登録請求の範囲】
【請求項１】
空気や液体などを入れてサイズを自由に調整でき多回数多種類に使用できるバルブ弁付きパッキン袋を、パッケージの内側や蓋面の内側蓋板にパッキン袋の一面を装着したパッキン袋。
【請求項２】
請求項１のパッキン袋の一面又は両面を、ダンボール板やその他の板に付けた、片面板付きパッキン袋両面板付きのパッキン袋のサイズ調整バルブ弁を板の外側からできる構造にしたパッキン袋付き板。
【請求項３】
請求項１のパッキン袋にファスナーや粘着テープなどを付けた他物装着構造と請求項２の蓋板に宛名や内容表示などのカード差し込みポケットを付けたバルブ弁付きパッキン袋。
【考案の詳細な説明】
【技術分野】
【０００１】  本考案は、郵便小包や宅急便などの包装や荷造り、製品の保存などの保護材に使用するパッキンに関するものです。
特にサイズを容易に空気調節で変更できるパッキン袋を、パッケージの蓋に取り付けた物を作り、パッケージの蓋をし紐掛けをした後で、蓋の外のバルブ弁からパッキン用の空気を適量入れ荷造りが完了出来るもので、容易に多用途に使用でき便利です。
使用後は空気を抜いて折り畳み、再度の使用に役立ちます。
【背景技術】
【０００２】  従来も現在も郵便小包や宅急便などのパッキンは紙や発砲スチロールなどが使われています。本考案のパッキン袋の、空気調整のバルブ付きパッキンは使われていません。
現在のパッケージは製品や商品に合わせて製作され、パッキン効果が大きいことに気付いていません。よって現在のパッケージは、一回限りの使い捨てで再使用や他製品への流用などは配慮されていません。
【考案が解決しようとする課題】
【０００３】  従来の技術で述べましたが、第一は使い捨てパッケージの習慣を、製造業者使用者ともに改めることです。
第二は、再使用他用化を配慮したしたパッケージを製作することです。第三は、パッケージコストが商品製品の価格に波及しない、安価の物であること。
第四は、再度使用の必要の無いパッキンとパッケージを回収する、システムを確立して徹底することです。
【課題を解決するための手段】
【０００４】  上記第一の課題は、自然環境保護や資源枯渇の観点から、使い捨てを止めパッケージを再利用すれば５０％の自然環境保護になるのですよ．．．．．．の活動を展開します。
第二の課題は、本考案の再使用他用化ができるパッケージ・パッキンを製作します。
【０００５】  第三、第四の課題の、パッケージコストの問題でが、他種類の商品に使用ができ多回数使用できるのですから、使用後の回収をパッキン付きパッケージの蓋に、返送先宛名カード差し込みポケットを付け、回収を徹底することにより必ずコストを低減出来ます。
なお、廃棄処理コスト、公害、資源枯渇、自然環境保護の課題も解決できます。
【考案を実施するための最良の形態】
【０００６】  考案の実施の形態についで、図面により説明します。
図１は、サイズ自由調整パッキン袋をパッケージの蓋板に付けた一例の説明図です。
Ａ．はパッキン袋の本体。で、蓋板の内側の見取り図です。パッキン袋は、蓋板に付いています。Ｂ．は蓋板。
Ｃは蓋板の外側。Ｄはバルブ弁。で、パッケージの蓋をして紐わ掛けた後、蓋の外のＤバルブ弁からパッキンとして適するサイズとなる空気を注入します。Ｄバルブ弁は自転車に使用されている構造の物や、バルブ管を長くし輪ゴム止め、手結び止めなど簡易のものを用途に合わせて製作します。Ｅ．表示カード入れポケット。このポケットに送り人、受取り人カードを差し替えて回送の利便を図っています。
ｆｇｈｉは側面図です。
ｆ．パッキン本袋。ｇ．蓋板。ｈバルブ管。ｉ．輪ゴム止め。です。
イロハは蓋板内部に付けた見取り図です。
イ．蓋板。ロ、パッキン袋。ハ、バルブ弁。で輪ゴム止めなども製作します。
図２は、パッケージだけでなく、精密な機器や壊れ物のクッション材としても活用できるる、自由設置用接着用具つきパッキン袋の一例です。
（１）はパッキン袋の本体。
（２）は空気の注入排出のバルブ弁。
（３）パッキン袋接着用具。設置物の適所に表面のカバーシートをはがしで、容易に接着        できる粘着テーブなどを付けたパッキン袋。
【考案の効果】
【０００７】  本考案は上述の通りです。
【０００８】  本考案のパッキンは、託送便、小包、郵便、製品保護など活用の範囲は広く、また衝撃に弱い陶器や凹凸の激しい製品などの保護材など、サイズが自由にしかも容易に調整できるパッキンの活用は計り知れないほどの効果が上げられます。
【０００９】  本考案のもう一つの要点は、空気パッキン袋に装着用「粘着テープ」などを付け、パッキンのズレ落ちを防止し、適所に設置することが出来るので従来のパッキンにない効果が上げられます。
【００１０】  上記による他用化は、パッキンパッケージの製作コスト軽減効果を上げ、再使用多回数使用を高め、廃棄処理数を減ずる効果を上げ、さらにパッケージのみの用途だけでなく精密機器、壊れ物、キズ付き防止など効果範囲が拡大できます。
そして、自然環境保護の効果も上げられます。
【図面の簡単な説明】
【００１１】
【図１】は、サイズ自由調整パッキン袋をパッケージの蓋板に付けた一例の説明図です。
【図２】は、パッケージだけでなく、精密な機器や壊れ物のクッション材としても活用できる、自由装着用のパッキン袋の一例です。
【符号の説明】
図１のＡＢは、蓋の内側の見取り図です。
Ａ．パッキン袋の本体。
Ｂ．蓋板。
ＣＤＥは、蓋の外側の見取り図です。
Ｃ．蓋板の外側。
Ｄ．バブル弁。
Ｅ．表示カード入れポケット
ｆｇｈｉは側面図です。
ｆ．パッキン本袋。
ｇ．蓋板。
ｈバルブ管。
ｉ．輪ゴム止め。
イロハは蓋板内部に付けた見取り図です。
イ．蓋板。
ロ、パッキン袋。
ハ、バルブ弁。
図２の（１）はパッキン袋の本体。
（２）バブル弁。空気の注入排出のバルブ管。
（３）パッキン袋接着用具。
【図１】
0003123013.tif 000003
【図２】
0003123013.tif 000004
【手続補正書】
【提出日】平成18年3月19日(2006.3.19)
【手続補正１】
【補正対象書類名】実用新案登録請求の範囲
【補正対象項目名】請求項３
【補正方法】変更
【補正の内容】
【請求項３】
請求項１のパッキン袋にファスナーや粘着テープなどを付けた他物装着構造と蓋板の表面やパッケージの外面に宛名や内容表示などのカード差し込みポケットを付けたバルブ弁付きパッキン袋。
【手続補正２】
【補正対象書類名】明細書
【補正対象項目名】０００１
【補正方法】変更
【補正の内容】
【０００１】  本考案は、箱詰め梱包や送付物の小包などの荷造り、製品の保存などの保護材に使用するパッキンに関するものです。
特にサイズを容易に空気調節で変更できるパッキン袋を、パッケージの蓋や内側に取り付けた物を作り、パッケージの蓋をし紐掛けをした後で、蓋の外のバルブ弁からパッキン用の空気を適量入れ荷造りが完了出来るもので、容易に多用途に使用でき便利です。
使用後は空気を抜いて折り畳み、再度の使用に役立ちます。
【手続補正３】
【補正対象書類名】明細書
【補正対象項目名】０００２
【補正方法】変更
【補正の内容】
【０００２】  従来も現在も箱詰め梱包や送付物の小包などのパッキンは紙や発砲スチロールなどが使われています。本考案のパッキン袋の、空気調整のバルブ付きパッキンは使われていません。
現在のパッケージは製品や商品に合わせて製作され、パッキン効果が大きいことに気付いていません。よって現在のパッケージは、一回限りの使い捨てで再使用や他製品への流用などは配慮されていません。